(57)【要約】【課題】寝たままで新聞、書籍等を読むことができ、またパソコンを操作することができる印刷物保持具及びパソコン保持具を提供する。【解決手段】印刷物保持具は、印刷物を保持する取付枠と、支柱を取り付ける基台と、基台に取り付けて高さを伸縮自在に調節することができる支柱とからなり、前記取付枠は、枠本体に適宜の間隔で細線を張設するとともに、枠体の一方側に新聞の端縁を固定する固定部材を設け、他端縁に新聞を架ける支持棒を着脱自在に配設し、他の側面には吊設棒を突設してなり、前記基台は基板の端部略中央部にピンを立設してなり、前記支柱は、下部パイプに上部パイプを嵌合させて長さを調節可能に連結し、上部パイプの上部には前記吊設棒を挿通するため取付孔が設けられている。  また、パソコン保持具は、パソコンの操作部側の端部を保持するケース保持体と、表示部側の端部を係止する係止環とからなることを特徴とする。【選択図】    図１
2005137490.tif 000002
【特許請求の範囲】
【請求項１】
印刷物を保持する取付枠と、支柱を取り付ける基台と、基台に取り付けて高さを伸縮自在に調節することができる支柱とからなり、前記取付枠は、平面方形状の枠本体に適宜の間隔で細線を張設するとともに、対向する枠体の一方側に新聞の端縁を固定する固定部材を設け、他端縁に新聞の折り目を架ける支持棒を着脱自在に配設し、他の側面には吊設棒を突設してなり、前記基台は基板の端部略中央部にピンを立設してなり、前記支柱は、下部パイプに上部パイプを嵌合させて長さを調節可能に連結し、上部パイプの上部には前記吊設棒を挿通するため取付孔が設けられていることを特徴とする印刷物保持具。
【請求項２】
枠本体は、Ｌ字状枠材を対向させ、両端部に平板材を掛け渡して平面方形状に形成し、前記Ｌ字状枠材には、前記平板材と同一方向に適宜の間隔で細線を張設することによって形成したことを特徴とする請求項１に記載の印刷物保持具。
【請求項３】
固定部材は、平板材の上下両面に突設したピンと、前面に前記ピンを嵌入する穴を設けたクリップとからなることを特徴とする請求項１又は２に記載の印刷物保持具。
【請求項４】
ピンは、先端が尖っており、表面は新聞が容易に抜け落ちないようにギザギザ、または凹凸面に形成されていることを特徴とする請求項３に記載の印刷物保持具。
【請求項５】
ノート型パソコンの操作部側の端部を保持するケース保持体と、表示部側の端部を係止する係止環とからなり、前記ケース保持体はノート型パソコンの操作部側の端部を嵌合するように、操作部の端面が当接する受け板の四方に下板、上板および側板を突設するとともに、前記受け板又は上板に支柱に吊架するアームを設けてなることを特徴とするパソコン保持具。
【請求項６】
係止環は、支柱を挿入する透孔と、外方に突設する係止片を設けてなることを特徴とする請求項５に記載のパソコン保持具。
【発明の詳細な説明】
【技術分野】
【０００１】
この発明は、起きている状態或いは寝たままの状態でも新聞、雑誌、書籍等の印刷物を読むことができ、また、寝たままでもパソコンの操作ができる印刷物保持具及びパソコン保持具に関するものである。
【背景技術】
【０００２】
従来、寝たままで雑誌、書籍等を読む場合に、手で長時間支えると疲れるし、また、患者の状態によって手で支えることができない場合がある。そこで、手を使わずに寝たままの状態で雑誌、書籍等を読むことができるようにした書見台が提案されている。
【０００３】
これら従来提案されている書見台は、アームを備えた取付板に雑誌等を開いた状態で下向きに装着し、仰向けの状態で読めるようにしたものである。しかし、これらの書見台は、開いた状態の両端縁をクリップ等で表紙とともに一体に保持しているため、ページをめくるときに保持している部分を解除すると全体が落下するおそれがある。そのために、片手で押さえながらめくるページのみを外して、残りの部分を再度クリップ止めし、めくったページを片側のページと一体にクリップ止めしなければならなかった。
【０００４】
また、上記のような従来の書見台は、仰向けの状態で読めるようにしたもので、横向きの状態で読む場合には使用することができなかった。また、書見台の大きさも雑誌や書籍等の大きさに限られ、新聞を保持して読むことができる大きさではなかった。
【０００５】
また、従来の書見台は、雑誌、書籍等を保持するように構成されてはいるが、パソコンを取り付けて操作することはできなかった。近年、パソコンの普及に伴い、一般人が就寝前に操作したり、寝たきりの患者であっても寝たままパソコンを操作したい場合もある。この発明は、上記のような問題点を解消するために、雑誌や書籍に限らず新聞であっても下向きに保持され、また部品を一部変更するだけでパソコンも下向きに保持することができるようにした印刷物保持具及びパソコン保持具を提供することを目的とする。
【特許文献１】特開平１１−３３２６５７号公報
【特許文献１】特開２０００−１２５９５０号公報
【発明の開示】
【発明が解決しようとする課題】
【０００６】
解決しようとする問題点は、書籍と新聞のように大きさが異なると保持することができない点である。また、起きた状態と寝たままの状態の両方に使用することはできないという点である。また、部品を変更することはできず、従って書籍以外のものを保持することはできないという点にある。
【課題を解決するための手段】
【０００７】
この発明に係る印刷物保持具は、印刷物を保持する取付枠と、支柱を取り付ける基台と、基台に取り付けて高さを伸縮自在に調節することができる支柱とからなり、前記取付枠は、平面方形状の枠本体に適宜の間隔で細線を張設するとともに、対向する枠体の一方側に新聞の端縁を固定する固定部材を設け、他端縁に新聞の折り目を架ける支持棒を着脱自在に配設し、他の側面には吊設棒を突設してなり、前記基台は基板の端部略中央部にピンを立設してなり、前記支柱は、下部パイプに上部パイプを嵌合させて長さを調節可能に連結し、上部パイプの上部には前記吊設棒を挿通するため取付孔が設けられていることを特徴とする。前記枠本体は、Ｌ字状枠材を対向させ、両端部に平板材を掛け渡して平面方形状に形成し、前記Ｌ字状枠材には、前記平板材と同一方向に適宜の間隔で細線を張設することによって形成することができる。また、前記固定部材は、平板材の上下両面に突設したピンと、前面に前記ピンを嵌入する穴を設たクリップとからなる構成とすることができる。前記ピンは、先端が尖っており、表面は新聞が容易に抜け落ちないようにギザギザ、または凹凸面に形成することが好ましい。
【０００８】
一方、この発明に係るパソコン保持具は、ノート型パソコンの操作部側の端部を保持するケース保持体と、表示部側の端部を係止する係止環とからなり、前記ケース保持体はノート型パソコンの操作部側の端部を嵌合するように、操作部の端面が当接する受け板の四方に下板、上板および側板を突設するとともに、前記受け板又は上板に支柱に吊架するアームを設けてなることを特徴とする。前記係止環は、支柱を挿入する透孔と、外方に突設する係止片を設た構成とすることができる。
【発明の効果】
【０００９】
この発明に係る印刷物保持具によれば、雑誌、書籍等ばかりでなく、各ページが綴じていない新聞も簡単に取り付けて読むことができ、しかも手に持つことなく寝たままの状態で読むことができる。新聞を取り付ける場合には、折り目の部分を支持棒に架け、その支持棒を取付枠の係止材に取り付け、新聞のフリーな端部をピンに刺して固定するだけであるから、きわめて簡単に取り付けることができる。新聞のページをめくる場合にも、１枚だけ取り外し取付枠を回転させることによって裏返しにできるから、寝たまま容易に操作することができる。また、取付枠の高さ及び向きは自由に変えることができる。
【００１０】
この発明に係るパソコン保持具によれば、ノート型パソコンを下向きに保持することができるから、手を伸ばせば寝たままで操作することができる。また、ケース保持体にパソコンの操作部の端部を挿入し、表示部を係止環に係止させるだけであるから、取り付け取り外しが簡単である。また、このパソコン保持具は支柱に対して回転させることができるとともに、高さ及び傾斜角度も自由に変更することができるから、寝たままでも容易に操作することができる。
という利点がある。
【発明を実施するための最良の形態】
【００１１】
以下、図面を参照してこの発明に係る印刷物保持具の実施形態を説明する。参照する図面において、図１は一実施形態に係る印刷物保持具の組み立てた状態を示す斜視図、図２は取付枠の背面図、図３は取付枠の部分拡大斜視図である。
【００１２】
印刷部保持具Ａは、印刷物を保持する取付枠１と、基台２と、基台２に取り付けて高さを伸縮自在に調節することができる支柱３とからなる。前記取付枠１はやや吊り下げた状態で、しかも回転可能に支柱３に取り付けられている。
【００１３】
前記取付枠１について詳述すると、図１に示すように、平面方形状の枠本体１０に適宜の間隔で細線１１を張設するとともに、対向する枠体の一方側に新聞の端縁を固定する固定部材１２、１２を設け、他端縁に新聞の折り目を支持する支持棒１３を着脱自在に配設してなる。前記枠本体１０は、Ｌ字状枠材１０ａ、１０ａを対向させ、両端部に平板材１０ｂ、１０ｂを掛け渡して平面方形状に形成されている。前記Ｌ字状枠材１０ａ、１０ａには、前記平板材１０ｂ、１０ｂと同一方向に適宜の間隔で細線１１が張設されている。前記細線１１には、ピアノ線のような極細の線を用いるか、釣り糸のような透明又は半透明な線を用いることが好ましい。
【００１４】
前記Ｌ字状枠材１０ａ、１０ａの略中心部には、取付枠１を支柱３に吊り下げた状態で取り付けるための吊設棒１０ｃが固定されている。前記吊設棒１０ｃは、Ｌ字状枠材１０ａ、１０ａに設けた孔１０ｄに挿通して掛け渡されており、一端が突出している。前記吊設棒１０ｃとＬ字状枠材１０ａ、１０ａとは一体に固着されている。前記吊設棒１０ｃは、枠本体１０を補強するとともに、回転軸として機能する。前記吊設棒１０ｃは、Ｌ字状枠材１０ａ、１０ａに掛け渡すことは必要でなく、Ｌ字状枠材１０ａ、１０ａの一方に突設されていれば足りる。この場合には、Ｌ字状枠材１０ａ、１０ａの間を他の補強材によって補強すればよい。
【００１５】
前記固定部材１２、１２は、図１〜図３に示すように、平板材１０ｂの上下両面に突設したピン１２ａ、１２ａと、前記ピン１２ａ、１２ａを挿入した新聞を挟持するクリップ１２ｂ、１２ｂとからなる。前記ピン１２ａ、１２ａは、新聞の端部に突き刺して固定するもので、先端が尖っており、表面は新聞が容易に抜け落ちないようにギザギザ、または凹凸面に形成されていることが好ましい。また、前記クリップ１２ｂ、１２ｂは、前記平板材１０ｂに突設された取付板１２ｃの両端に軸受板１２ｄが直角にそれぞれ対向して設けられており、前記軸受板１２ｄに回動自在に軸着されたアーム１２ｅの先端に押え１２ｆを取り付けることによって形成されている。
【００１６】
前記押え１２ｆの前面には、前記ピン１２ａ、１２ａを嵌入する穴が設けられている。前記アーム１２ｅを回動させて押え１２ｆをピン１２ａ、１２ａに押し付けると、押え１２ｆの穴にピン１２ａ、１２ａが嵌入し、新聞を押圧固定して落下するのを防止するように構成されている。新聞のページをめくるときは、前記押え１２ｆを回動させてピン１２ａ、１２ａから引き離し、１枚のみを引き剥がせばよい。
【００１７】
一方、前記クリップ１２ｂ、１２ｂと対向するようにＬ字状枠材１０ａ、１０ａの端部には、新聞の折り目を支持する支持棒１３を着脱自在に配設してなる。前記支持棒１３は、図６に示すように、パイプ１３ａの一端部近傍にフランジ１３ｂを設け、端部にキャップ１３ｃを着脱自在に設けてなる。前記支持棒１３は、Ｌ字状枠材１０ａ、１０ａの端部に設けた係止材１４、１４のＵ字状透孔１４ａ、１４ａに挿通することによって取り付けられる（図８参照）。
【００１８】
支持棒１３をＵ字状透孔１４ａ、１４ａに挿通するには、まず、フランジ１３ｂを設けていない側の端部を挿通し、次いで、フランジ１３ｂ側の端部を挿通してフランジ１３ｂを係止材１４の内側に当接し、その後キャップ１３ｃを嵌合させればよい。このように、フランジ１３ｂとキャップ１３ｃによって係止材１４を挟持することになるから、支持棒１３の脱落は防止される。
【００１９】
次に、支柱３は、下部パイプ３０に上部パイプ３１を嵌合させて連結させており、公知の手段によって高さが調節可能に組み立てられている。上部パイプ３１の上端部には、枠本体１０に突設した吊設棒１０ｃを挿通する取付孔３１ａが穿設されている。前記取付孔３１ａは、図４に示すように、対向する両側面の孔の大きさが異なっており、一方側は略円形状であるが、反対側は楕円形状または長円形状に形成されている。このように、両側面の孔の大きさを変えることによって、挿通した吊設棒１０ｃの吊り下げ角度を調整することができる。また、吊設棒１０ｃは、取付孔３１ａに挿通されているだけであるから回転自在である。
【００２０】
前記支柱３は、図５に示すように、基板２の端部略中央部に立設したピン２１を下部パイプ３０の下面に挿入することによって回転自在に立設される。従って、支柱３は、回転することによって向きが変えられるとともに、上部パイプ３１の下部パイプ３０への挿入長さを変えることによって、全体の高さを適宜調節することができる。また、吊設棒１０ｃは、回転可能であるから、取付枠１の向きも自由に変えることができる。
【００２１】
次に、上記構成の印刷物保持具の使用方法について説明する。まず、新聞Ｓを取り付ける場合について説明する。図７に示すように、新聞Ｓの折り目の内側に支持棒１３を通して、新聞Ｓを架けた状態に支持する。支持棒１３を通した新聞Ｓを取付枠１の一方側に乗せ、前記支持棒１３のフランジ１３ｂを設けていない側の端部を係止材１４のＵ字状透孔１４ａに挿通し、次いで、フランジ１３ｂ側の端部を同じくＵ字状透孔１４ａに挿通してキャップ１３ｃを嵌合させる。このようにして、図８に示すように、折り目側を固定した後、見開き側の端部をピン１２ａに突き刺して固定する。さらに、新聞Ｓの落下を防止するために、押え１２ｆを回動させて前面に設けた穴にピン１２ａ、１２ａを嵌入させて、新聞が落下するのを防止する。
【００２２】
このようにして、新聞Ｓを取り付けた取付枠１の吊設棒１０ｃを支柱３の上部パイプ３１に設けた取付孔３１ａに挿通して取付枠１の向きを調節するとともに、上部パイプ３１の高さを調節する。取付枠１を回転させて取り付けた新聞Ｓを下向きにすれば、図９に示すように、寝ながら読むことができる。なお、新聞Ｓを上向きにすれば、起きた状態で座ったまま手に持たないで読むことができる。
【００２３】
次に、次ページを読むために新聞Ｓをめくるときは、押え１２ｆを回動させてピン１２ａ、１２ａとの嵌入状態を解除し、必要枚数だけ取り外して再度、押え１２ｆをピン１２ａ、１２ａに押し付ける（図１０参照）。取り外された枚数のページはフリーな状態になっているから、図１１に示すように、吊設棒１０ｃを中心にして取付枠１を回転させれば、フリーなページは取付枠の反対側に載置することになる。反対側に載置されたページの端部をピン１２ａに突き刺して固定し、さらに、落下を防止するために押え１２ｆを回動させてピン１２ａ、１２ａを嵌入させればよい。
【００２４】
上述したように、新聞Ｓは取付枠１に簡単に取り付けることができ、取付枠１を回転させるだけで両面に出ているページを読むことができる。また、ページをめくるときも押えｆのピン１２ａ，１２ａとの結合状態を解除し、ピン１２ａ、１２ａから必要枚数を取り外して取付枠１を回転させれば反対側に載置することができる。新聞Ｓの見開き側の固定は、ピン１２ａ、１２ａに突き刺して押え１２ｆを押圧するだけであるから操作が簡単である。また、ピン１２ａ、１２ａの表面をネジのように凹凸面に形成しておくことにより、押え１２ｆを取り外しても新聞は落下することがなく、必要ページのみをめくることができる。
【００２５】
また、雑誌、書籍Ｚを読む場合には、図１３に示すように、ページを開いて吊設棒１０ｃの下側に潜らせながら表紙を上にして細線１１の上に載置する。雑誌の大きさや厚さによっては、細線１１の上下にジグザグに潜らせて保持させてもよい。このようにして、雑誌、書籍Ｚを細線の上に下向きに保持させることにより、新聞と同じように手で持つことなく寝ながら読むことができる。ページをめくるときは、片方のページをずらしながら取り出し、他方の細線１１の上に差し込めばよい。なお、雑誌、書籍Ｚを開いた状態で上向きに細線１１に載置すれば、上方から座ったままでも読むことができる。
【００２６】
次に、パソコン保持具Ｂについて説明する。パソコン保持具Ｂは、ノート型パソコンの操作部側の端部を保持するケース保持体４０と、表示部側の端部を係止する係止環４１とからなる。前記ケース保持体４０は、上記取付枠１に代えて使用される。そして、前記ケース本体４０は、ノート型パソコンの操作部側の端部を嵌合するケース部４３と、支柱３に吊架するアーム４５によって形成されている。
【００２７】
前記ケース部４３は、ノート型パソコンの操作部側の端部を嵌合するように、操作部の端面が当接する受け板４３ａの四方に下板４３ｂ、上板４３ｃおよび側板４３ｄを突設してなる。下板４３ｂは、パソコンの操作部の構成に応じて切欠部４３ｅを設けてもよい。また、アーム４５は、断面Ｔ字型に形成されており、先端部に支柱３を挿入する透孔４５ａを有する取付板４５ｂが設けられており、基端部が上板４３ｃに固着されている。
【００２８】
一方、前記係止環４１には、支柱３を挿入する透孔４１ａが設けられ、外方に突設する係止片４１ｂが突設されている。この係止片４１ｂにパソコンの表示部側の端部を係止させる。前記構成のケース保持体４０によってパソコンの操作部を保持し、係止環４１に表示部を係止させることによってパソコンを下向きに取り付けることができる。
【００２９】
次に、パソコン保持具ＢにパソコンＰを取り付けて使用する場合について説明する。まず、図１５及び図１６に示すように、透孔４１ａに支柱３を挿入して係止環４１を取り付け、次いで、ケース保持体４０のアーム４５の透孔４５ａに支柱を挿入して取付板４５ｂを支柱３に係止させる。このとき、前記ケース本体４０は、支柱３に吊り下げられた状態で下向きに取り付けられている。
【００３０】
上記のように、パソコン保持具Ｂを取り付けた後に、ノート型パソコンＰを開いて操作部側の端部をケース部４３に嵌合させ、次いで、表示部側の端部を係止環４１の係止片４１Ｂに係止させればよい。このようにして、パソコンＰは、図１５及び図１６に示すように、下向きに取り付けることができるから、寝たままの状態で操作することができる。
【図面の簡単な説明】
【００３１】
【図１】印刷物保持具の斜視図である。
【図２】印刷物保持具の取付枠の背面図である。
【図３】取付枠の部分拡大斜視図である。
【図４】支柱の取付孔を示す断面図である。
【図５】基台の上面斜視図である。
【図６】支持棒の斜視図である。
【図７】支持棒に新聞紙を架けた状態の正面図である。
【図８】新聞紙を架けた支持棒を係止材に係止させる状態の説明図である。
【図９】印刷物保持具の寝ながら読むときの使用状態を示す斜視図である。
【図１０】新聞のページをめくるときの説明用斜視図である。
【図１１】同じく、取付枠を回転させ新聞のページをめくるときの説明用斜視図である。
【図１２】新聞のページをめくり、上下面を逆にした状態の説明用斜視図である。
【図１３】雑誌を取り付けて寝ながら読むときの使用状態を示す斜視図である。
【図１４】パソコン保持具の斜視図である。
【図１５】パソコンを取り付けたパソコン保持具の斜視図である。
【図１６】同じく、パソコンを取り付けたパソコン保持具の斜視図である。
【符号の説明】
【００３２】
１：取付枠  
２：基台  
３：支柱  
１０：枠本体  
１０ａ：Ｌ字状枠材  
１０ｂ：平板材
１０ｃ：吊設棒  
１０ｄ：孔
１１：細線  
１２：固定部材
１２ａ：ピン  
１２ｂ：クリップ  １２ｃ：取付板
１２ｄ：軸受板  
１２ｅ：アーム  
１２ｆ：押え
１３：支持棒  
１４：係止材  
１４ａ：Ｕ字状透孔
３０：下部パイプ  
３１：上部パイプ
３１ａ：取付孔
４０：ケース保持体  
４１：係止環
４１ａ：透孔  
４１ｂ：係止片
４３：ケース部  
４３ａ：受け板  
４３ｂ：下板  
４３ｃ：上板  
４３ｄ：側板  
４３ｅ：切欠部
４５ａ：透孔  
【図１】
2005137490.tif 000003
【図２】
2005137490.tif 000004
【図３】
2005137490.tif 000005
【図４】
2005137490.tif 000006
【図５】
2005137490.tif 000007
【図６】
2005137490.tif 000008
【図７】
2005137490.tif 000009
【図８】
2005137490.tif 000010
【図９】
2005137490.tif 000011
【図１０】
2005137490.tif 000012
【図１１】
2005137490.tif 000013
【図１２】
2005137490.tif 000014
【図１３】
2005137490.tif 000015
【図１４】
2005137490.tif 000016
【図１５】
2005137490.tif 000017
【図１６】
2005137490.tif 000018